(57)【特許請求の範囲】
【請求項１】
キーロック機能を有する電子機器であって、
キーロック状態を解除するために定められた解除情報を予め記憶する記憶手段と、
任意の入力情報を入力する入力手段と、
キーロック状態において、前記入力手段により入力された入力情報と前記記憶手段に記憶された解除情報との一致を判別する判別手段と、
前記判別手段により一致が判別されると、キーロック状態を解除すると共に、判別に使用した入力情報及び、前記入力手段が続けて入力した入力情報に従って、所定の動作を行う制御手段と、
を備えることを特徴とする電子機器。
【請求項２】
キーロック機能を有し、複数の操作キーを備えた電子機器であって、
キーロック状態を解除するために定められた複数の解除キーの組み合わせを規定する解除情報を予め記憶する記憶手段と、
操作キーの押下に従って、任意の入力情報を入力する入力手段と、
キーロック状態において、前記入力手段により入力された入力情報と前記記憶手段に記憶された解除情報とを比較することにより、押下された複数の操作キーと複数の解除キーとの一致を判別する判別手段と、
前記判別手段により操作キーと解除キーとの一致が判別されると、キーロック状態を解除すると共に、判別に使用した入力情報とキーロック解除後に前記入力手段が入力した入力情報とからなる一連の入力情報に従って、所定の動作を行う制御手段と、
を備えることを特徴とする電子機器。
【請求項３】
所定の無線通信を行う通信手段を更に備え、
前記記憶手段は、所定の電話番号の先頭から複数桁分の番号に対応する解除キーの組み合わせからなる解除情報を記憶し、
前記制御手段は、前記判別手段により一致が判別されると、判別に使用した入力情報とキーロック解除後に前記入力手段が入力した入力情報とからなる一連の電話番号先に、前記通信手段を介して発呼動作を行う、
ことを特徴とする請求項２に記載の電子機器
【請求項４】
キーロック機能を有し、複数の操作キーを備えた電子機器におけるキーロック解除方法であって、
操作キーを介して任意の入力情報を入力する入力ステップと、
キーロック状態において、前記入力ステップにて入力された入力情報とキーロック状態を解除するために定められた複数の操作キーの組み合わせを規定する解除情報との一致を判別する判別ステップと、
前記判別ステップにて一致が判別されると、キーロック状態を解除すると共に、判別に使用した入力情報とキーロック解除後に前記入力ステップにて入力された入力情報とからなる一連の入力情報に従って、所定の動作を行う制御ステップと、
を備えることを特徴とするキーロック解除方法。
【発明の詳細な説明】
【０００１】
【発明の属する技術分野】
この発明は、キーロック機能を有する電子機器に関し、特に、キーロック状態から所定の動作指示までの操作負担を適切に軽減することのできる電子機器及びキーロック解除方法に関する。
【０００２】
【従来の技術】
例えば、従来より、携帯電話等の携帯用電子機器（携帯型の電気製品）が広く使用されている。このような携帯用電子機器は、衣服のポケットや鞄等に入れられた状態で、利用者に携帯される場合が多いため、意図しない誤動作を防止できる所定のキーロック機能が備えられている。
このキーロック機能は、利用者の所定の操作により、キーロック状態に移行し、そして、移行したキーロック状態において、操作キー等が押下されても、入力を受け付けないことにより、誤動作を防止するというものである。
【０００３】
利用者は、このようなキーロック状態から、操作キーの入力を受け付ける通常状態に復帰させるために、所定の操作によりキーロック状態を解除する。このキーロック状態の解除には、一般に、以下の２つの手法が用いられている。
まず、第１の手法は、暗証番号が入力された場合に、キーロック状態を解除する手法である。これは、利用者が予め決められた何桁かの暗証番号を操作キーを押下して入力した場合に、携帯用電子機器のキーロック状態が解除されるというものである。
次に、第２の手法は、所定の操作キーが一定時間連続して押下された（いわゆる「長押し」された）場合に、キーロック状態を解除する手法である。これは、利用者が所定の操作キーを長押しした場合に、携帯用電子機器のキーロック状態が解除されるというものである。
【０００４】
以下、従来の携帯用電子機器におけるキーロック状態の解除について、上述の第２の手法を一例として、図６を参照して説明する。図６は、携帯用電子機器を制御する所定の制御部により実行されるキーロック設定・解除処理ルーチンを説明するためのフローチャートである。
なお、図６に示すキーロック設定・解除処理ルーチンは、所定時間毎に繰り返し実行される。
【０００５】
まず、携帯用電子機器の制御部は、現在キーロック操作がなされているか否かを判別する（ステップＳ１０１）。すなわち、所定のキーの押下がなされているか否かを判別する。
制御部は、キー操作がなされていると判別した場合、前回のルーチンと同じキー入力操作であるか否かを判別する（ステップＳ１０２）。
【０００６】
制御部は、同じキー入力操作であると判別した場合、所定のキー入力タイマをカウントアップする（ステップＳ１０３）。すなわち、同一キーの連続した押下時間（時間Ｔ）を計測するためのキー入力タイマをカウントアップする。
一方、同じキーでない（異なるキーの入力操作であった）と判別した場合に、制御部は、後述するステップＳ１１０に処理を進める。
【０００７】
また、ステップＳ１０１にて、現在キーロック操作がないと判別した場合に、制御部は、キー入力タイマの時間Ｔが所定の範囲内（１．８秒以上、かつ、１０秒以下）であるか否かを判別する（ステップＳ１０４）。すなわち、制御部は、上述のステップＳ１０３にてカウントアップされた同一キーの押下時間（時間Ｔ）が、予め定められた１．８秒以上、かつ、１０秒以下であったか否かを判別する。
制御部は、キー入力タイマの時間Ｔが範囲内でないと判別した場合、後述するステップＳ１１０に処理を進める。
【０００８】
一方、時間Ｔが範囲内であると判別した場合に、制御部は、現在キーロックモード（キーロック状態）であるか否かを判別する（ステップＳ１０５）。
制御部は、現在キーロックモードでないと判別した場合、キーロックモードの設定を行い（ステップＳ１０６）、所定の電子音を出力する（ステップＳ１０７）。
【０００９】
一方、現在キーロックモードであると判別した場合に、制御部は、キーロックモードの解除を行い（ステップＳ１０８）、所定の電子音を出力する（ステップＳ１０９）。
そして、制御部は、キー入力タイマをクリアし（ステップＳ１１０）、処理ルーチンを終了する。
【００１０】
このように、図６に示すキーロック設定・解除処理ルーチンにより、従来の携帯用電子機器は、同一の操作キーが長押しされた場合に、利用者の意図によるものと判別し、キーロック状態の解除等を適切に行うことができる。
【００１１】
【発明が解決しようとする課題】
しかしながら、従来の携帯用電子機器においては、キーロック状態から所定の動作を行うまでに、利用者は、操作キーを数多く操作しなければならないという問題があった。これは、キーロック状態を解除するための操作が別個独立した操作として行われることに起因している。
【００１２】
例えば、上述の図６に示す処理を行う携帯用電子機器において、キーロック状態から「０３−３６１５−××××」という電話番号先に発呼動作を指示する場合、利用者は、図７（ａ）に示すように、所定の操作キーを１．８秒以上「長押し」してキーロックを解除し、その後に、「０３−３６１５−××××」の各数字キー及び、発信キーを押下して、発呼動作を指示する必要があった。
同様に、「短縮」＋「００１」という登録先に発呼動作を指示する場合でも、利用者は、図７（ｂ）に示すように、キーロックを解除するためだけに、所定の操作キーを長押しする必要があるため、操作が煩雑であった。
【００１３】
このような現状において、キーロック状態を解除するための操作を、発呼指示等の操作にそのまま活かすことができれば、キーロック状態から発呼指示等までの利用者の操作負担が軽減されることが予想される。
【００１４】
この発明は、上記実状に鑑みてなされたもので、キーロック状態から所定の動作指示までの操作負担を適切に軽減することのできる電子機器及びキーロック解除方法を提供することを目的とする。
【００１５】
【課題を解決するための手段】
上記目的を達成するため、本発明の第１の観点に係る電子機器は、
キーロック機能を有する電子機器であって、
キーロック状態を解除するために定められた解除情報を予め記憶する記憶手段と、
任意の入力情報を入力する入力手段と、
キーロック状態において、前記入力手段により入力された入力情報と前記記憶手段に記憶された解除情報との一致を判別する判別手段と、
前記判別手段により一致が判別されると、キーロック状態を解除すると共に、判別に使用した入力情報及び、前記入力手段が続けて入力した入力情報に従って、所定の動作を行う制御手段と、
を備えることを特徴とする。
【００１６】
この発明によれば、記憶手段は、キーロック状態を解除するために定められた解除情報（例えば、操作キーの組み合わせを規定する情報）を予め記憶する。入力手段は、例えば、操作キーを介して任意の入力情報を入力する。判別手段は、キーロック状態において、入力手段により入力された入力情報と記憶手段に記憶された解除情報との一致を判別する。制御手段は、判別手段により入力情報と解除情報との一致が判別されると、キーロック状態を解除すると共に、判別に使用した入力情報及び、入力手段が続けて入力した入力情報に従って、例えば、発呼動作等を行う。このように、キーロック状態を解除するための操作を、発呼指示等の操作にそのまま活かすことができる。この結果、キーロック状態から所定の動作指示までの操作負担を適切に軽減することができる。
【００１７】
上記目的を達成するため、本発明の第２の観点に係る電子機器は、
キーロック機能を有し、複数の操作キーを備えた電子機器であって、
キーロック状態を解除するために定められた複数の解除キーの組み合わせを規定する解除情報を予め記憶する記憶手段と、
操作キーの押下に従って、任意の入力情報を入力する入力手段と、
キーロック状態において、前記入力手段により入力された入力情報と前記記憶手段に記憶された解除情報とを比較することにより、押下された複数の操作キーと複数の解除キーとの一致を判別する判別手段と、
前記判別手段により操作キーと解除キーとの一致が判別されると、キーロック状態を解除すると共に、判別に使用した入力情報とキーロック解除後に前記入力手段が入力した入力情報とからなる一連の入力情報に従って、所定の動作を行う制御手段と、
を備えることを特徴とする。
【００１８】
この発明によれば、記憶手段は、キーロック状態を解除するために定められた複数の解除キーの組み合わせを規定する解除情報（例えば、解除キーテーブル）を予め記憶する。入力手段は、操作キーの押下に従って、任意の入力情報を入力する。判別手段は、キーロック状態において、入力手段が入力した入力情報と記憶手段にて記憶された解除情報とを比較することにより、押下された複数の操作キーと複数の解除キーとの一致を判別する。制御手段は、判別手段により操作キーと解除キーとの一致が判別されると、キーロック状態を解除すると共に、判別に使用した入力情報とキーロック解除後に入力手段が入力した入力情報とからなる一連の入力情報に従って、例えば、発呼動作等を行う。このように、キーロック状態を解除するための操作を、発呼指示等の操作にそのまま活かすことができる。この結果、キーロック状態から所定の動作指示までの操作負担を適切に軽減することができる。
【００１９】
上記電子機器は、所定の無線通信を行う通信手段を更に備え、
前記記憶手段は、所定の電話番号の先頭から複数桁分の番号に対応する解除キーの組み合わせからなる解除情報を記憶し、
前記制御手段は、前記判別手段により一致が判別されると、判別に使用した入力情報とキーロック解除後に前記入力手段が入力した入力情報とからなる一連の電話番号先に、前記通信手段を介して発呼動作を行ってもよい。
【００２０】
上記目的を達成するため、本発明の第３の観点に係るキーロック解除方法は、
キーロック機能を有し、複数の操作キーを備えた電子機器におけるキーロック解除方法であって、
操作キーを介して任意の入力情報を入力する入力ステップと、
キーロック状態において、前記入力ステップにて入力された入力情報とキーロック状態を解除するために定められた複数の操作キーの組み合わせを規定する解除情報との一致を判別する判別ステップと、
前記判別ステップにて一致が判別されると、キーロック状態を解除すると共に、判別に使用した入力情報とキーロック解除後に前記入力ステップにて入力された入力情報とからなる一連の入力情報に従って、所定の動作を行う制御ステップと、
を備えることを特徴とする。
【００２１】
この発明によれば、入力ステップは、操作キーを介して任意の入力情報を入力する。判別ステップは、キーロック状態において、入力ステップにて入力された入力情報とキーロック状態を解除するために定められた複数の操作キーの組み合わせを規定する解除情報との一致を判別する。制御ステップは、判別ステップにて一致が判別されると、キーロック状態を解除すると共に、判別に使用した入力情報とキーロック解除後に入力ステップにて入力された入力情報とからなる一連の入力情報に従って、例えば、発呼動作等を行う。このように、キーロック状態を解除するための操作を、発呼指示等の操作にそのまま活かすことができる。この結果、キーロック状態から所定の動作指示までの操作負担を適切に軽減することができる。
【００２２】
【発明の実施の形態】
本発明の実施の形態にかかる携帯用電子機器について、携帯用端末を一例とし、以下図面を参照して説明する。
【００２３】
図１は、この発明の実施の形態に適用される携帯用端末の構成の一例を示すブロック図である。また、図２は、図１に示す構成の携帯用端末の一例を示す外観図である。
図１に示すように、携帯用端末１は、例えば、携帯電話等の移動体通信機器からなり、アンテナ１１と、無線部１２と、操作部１３と、メモリ１４と、表示部１５と、制御部１６と、ベースバンド１７と、マイク１８と、スピーカ１９と、を含んで構成される。
【００２４】
アンテナ１１は、エレメントを備えた所定のロッドアンテナ等からなり、無線部１２から供給された通信情報を所定周波数の搬送波に重畳させ、所定の無線局（基地局）等に向けて送信する。
また、アンテナ１１は、無線局等から送られた通信情報を受信して、無線部１２に供給する。
【００２５】
無線部１２は、例えば、セル方式が採用された所定の移動体通信システムに適用される通信ユニット等からなる。無線部１２は、制御部１６に制御され、アンテナ１１を介して無線局等（最終的には、固定電話機や携帯電話機等）との間で、所定の通信情報（音声情報等）を送受信する。
【００２６】
操作部１３は、図２に示すように、例えば、携帯用端末１の正面等に配置された複数の操作キーからなる。なお、具体的に操作部１３は、数字キー１３ａ、短縮キー１３ｂ、及び、メールキー１３ｃ等を含んで構成される。また、操作部１３には、発呼動作を指示する送信キー等も含まれる。
操作部１３は、利用者により各操作キーが押下されると、対応する入力情報を制御部１６に供給する。
【００２７】
図１に戻って、メモリ１４は、不揮発性のＲＡＭ（Random Access Memory）等からなり、図３に示すような解除キーテーブル１４Ｔ等を記憶する。
図３に示す解除キーテーブル１４Ｔは、キーロックを解除するために使用される複数の操作キー（解除キー）の組み合わせ情報を規定するテーブルである。なお、このテーブルは、予め利用者により登録され、メモリ１４に記憶される。
具体的に解除キーテーブル１４Ｔは、操作部１３における任意の操作キーの４回の操作（第１操作〜第４操作）を規定する情報を複数記憶する。例えば、解除キーテーブル１４Ｔの「登録１」には、キーロック状態を解除するための登録キー（操作キー）として、順に「０」，「３」，「３」，「６」からなる解除情報が登録されている。
【００２８】
図１に戻って、表示部１５は、ＬＣＤ（液晶ディスプレイ）等からなり、制御部１６から供給された表示データに従って、携帯用端末１の動作状態等を示す文字やキャラクタ等を表示する。
【００２９】
制御部１６は、ＣＰＵ（Central Processing Unit）、ＲＯＭ（Read Only Memory）及びＲＡＭ等を含んで構成される１チップマイコン等からなり、携帯用端末１全体を制御する。
具体的に制御部１６は、無線部１２等を介して無線局等（最終的には、固定電話機や携帯電話機等）との間で、所定の通信情報（音声情報等）を送受信する。その際、制御部１６は、ベースバンド１７を介してマイク１８から音声信号を入力すると共に、ベースバンド１７を介してスピーカ１９に音声信号を出力する。
【００３０】
また、制御部１６は、操作部１３から入力される入力情報に従って、所定の動作を行う。例えば、操作部１３の数字キー１３ａ等から電話番号等が入力されると、無線部１２等を介して、電話番号先に向けた発呼動作を行う。
なお、制御部１６は、操作部１３から特定の入力情報が入力されると、操作部１３からの入力情報を受け付けないキーロック状態に移行する。また、制御部１６は、後述するキーロック解除処理ルーチンを実行し、所定の入力情報が入力されると、キーロック状態を解除する。
【００３１】
ベースバンド１７は、無線部１２が受信した音声情報等（通信情報）を復調し、更に音声信号に変換してスピーカ１９に供給する。
また、ベースバンド１７は、マイク１８から入力された音声信号を変調し、更に音声情報等（通信情報）に変換して無線部１２に供給する。
【００３２】
マイク１８は、コンデンサマイク等からなり、入力した利用者の音声等を、音声信号に変換してベースバンド１７に供給する。
【００３３】
スピーカ１９は、ベースバンド１７から供給される音声信号に従って、音声等を発する。
【００３４】
以下、この発明の実施の形態に係る携帯用端末１のキーロックの解除動作について図４等を参照して説明する。
図４は、制御部１６が実行するキーロック解除処理ルーチンを説明するためのフローチャートである。このキーロック解除処理ルーチンは、操作部１３にて、数字キー１３ａ等の任意の操作キーが押下された際に、逐次実行される。
なお、制御部１６は、例えば、操作部１３の特定の操作キーが押下された場合に、キーロック状態に移行するものとし、そして、キーロック状態に移行した際に、後述する操作カウンタの値をゼロクリアする。
【００３５】
まず、制御部１６は、現在自己がキーロック状態であるか否かを判別する（ステップＳ１１）。制御部１６は、キーロック状態でないと判別した場合、特に何も処理することなく、キーロック解除処理ルーチンを終了する。
【００３６】
一方、キーロック状態であると判別した場合に、制御部１６は、操作カウンタの値が初期値の「０」であるか否かを判別する（ステップＳ１２）。なお、この操作カウンタとは、キーロック状態における操作部１３の操作回数をカウントするためのカウンタであり、その値が０の場合に、キーロック状態を解除するための有効な操作キーが押下されていない状態であることを示している。
【００３７】
制御部１６は、操作カウンタの値が０であると判別した場合、操作カウンタに１回目の操作を示す「１」をセットする（ステップＳ１３）。
制御部１６は、メモリ１４に記憶されている解除キーテーブル１４Ｔから、第１操作に対応する全ての登録キーを取得する（ステップＳ１４）。すなわち、制御部１６は、図３に示す解除キーテーブル１４Ｔを参照し、それぞれ登録されている第１操作に対応する操作キーの情報を取得する。
例えば、制御部１６は、図３の解除キーテーブル１４Ｔから、「０」，「短縮」，「メール」等からなる第１操作に対応する操作キーの情報を取得する。
【００３８】
また、ステップＳ１２にて、操作カウンタの値が０でないと判別した場合に、制御部１６は、解除キーテーブル１４Ｔから、操作カウンタで示される操作に対応するところの番号インデックスで示される登録キーを取得する（ステップＳ１５）。なお、番号インデックスとは、解除キーテーブル１４Ｔにおける登録番号（登録１，登録２等）を指し示すインデックスである。
すなわち、制御部１６は、図３に示す解除キーテーブル１４Ｔを参照し、操作カウンタの値の操作（第２操作〜第４操作）に対応する操作キーであり、かつ、番号インデックスにて示される登録番号（登録１〜登録３等）の操作キーの情報を取得する。
例えば、現在の操作カウンタの値が４であり、かつ、番号インデックスの値が１である場合に、制御部１６は、図３の解除キーテーブル１４Ｔから、登録１における第４操作である「６」を示す操作キーの情報を取得する。
【００３９】
制御部１６は、操作部１３にて押下された操作キーが、ステップＳ１４又はＳ１５にて取得した何れかの登録キー（操作キー）と一致したか否かを判別する（ステップＳ１６）。すなわち、制御部１６は、今回押下された操作キーが、解除キーテーブル１４Ｔに登録されている操作キー（対応する操作回数等における操作キー）と、一致したか否かを判別する。
【００４０】
制御部１６は、操作キーが一致していないと判別した場合、操作カウンタをゼロクリアし（ステップＳ１７）、キーロック解除処理ルーチンを終了する。
【００４１】
一方、操作キーが一致したと判別した場合に、制御部１６は、番号インデックスに、一致した操作キーが属する登録番号をセットする（ステップＳ１８）。なお、解除キーテーブル１４Ｔにおいて、同一の操作キーが複数登録されていた場合（一致した操作キーが複数存在した場合）に、制御部１６は、番号インデックスに複数の登録番号をセットする。
【００４２】
制御部１６は、現在の操作カウンタの値が、キーロックの解除操作を判別する最後の操作回数を示す「４」であるか否かを判別する（ステップＳ１９）。
制御部１６は、操作カウンタの値が４でないと判別した場合、操作カウンタに１を加算し（ステップＳ２０）、キーロック解除処理ルーチンを終了する。
【００４３】
一方、操作カウンタの値が４であると判別した場合に、制御部１６は、キーロックを解除する（ステップＳ２１）。すなわち、制御部１６は、利用者による操作部１３を介した４回の操作が、解除キーテーブル１４Ｔに登録されている操作キーと順番等を含めて全て一致したため、現在設定されているキーロック状態を解除し、キーロック解除処理ルーチンを終了する。
【００４４】
なお、制御部１６は、キーロック状態を解除すると、上記４回に渡る操作部１３における操作を、有効な入力情報（電話番号等の一部）として受け付けて表示部１５に表示すると共に、続けて、操作部１３を介した利用者の操作を待機する。
そして、キーロック状態が解除された後に、利用者により操作部１３が操作されると、制御部１６は、続けて電話番号等を入力し、発信キーが押下され発呼が指示されると、入力した一連の電話番号先に向けた発呼動作を行う。
【００４５】
以下、上述のキーロックの解除動作を含めた携帯用端末１の動作を図５を参照して具体的に説明する。
まず、図５（ａ）を参照して、キーロック状態から「０３−３６１５−××××」という電話番号先に発呼する場合の動作について説明する。
図５（ａ）に示すように、「０」，「３」，「３」，「６」の数字キー１３ａが順に押下されると、制御部１６は、解除キーテーブル１４Ｔにおける「登録１」の４つの操作キーと一致するため、キーロックを解除すると共に、この「０」，「３」，「３」，「６」の入力情報を有効とする。
そして、キーロック状態を解除した後に、操作部１３にて「１」，「５」，「×」，「×」，「×」，「×」，「発信」と順に操作キーが押下されると、制御部１６は、「０３−３６１５−××××」という電話番号先に向けて発呼動作を行う。
【００４６】
このように、キーロック状態を解除するための操作を、発呼指示の操作にそのまま活かすことができる。この結果、キーロック状態から所定の動作指示までの操作負担を適切に軽減することができる。
【００４７】
次に、図５（ｂ）を参照して、キーロック状態から「短縮」＋「００１」という登録番号先に発呼する動作について説明する。
図５（ｂ）に示すように、「短縮」の短縮キー１３ｂ及び、「０」，「０」，「１」の数字キー１３ａが順に押下されると、制御部１６は、解除キーテーブル１４Ｔにおける「登録２」の４つの操作キーと一致するため、キーロックを解除すると共に、この「短縮」，「０」，「０」，「１」の入力情報を有効とする。
そして、キーロック状態を解除した後に、操作部１３にて発信キーが押下されると、制御部１６は、「短縮」＋「００１」という登録番号先に向けて発呼動作を行う。
【００４８】
このように、キーロック状態を解除するための操作を、発呼指示の操作にそのまま活かすことができる。この結果、キーロック状態から所定の動作指示までの操作負担を適切に軽減することができる。
【００４９】
上記の実施の形態では、解除キーテーブル１４Ｔに、それぞれ４つの操作キーの情報が、キーロック状態を解除するための情報として登録されている場合について説明したが、解除キーテーブル１４Ｔに登録する操作キー（情報）の個数は、任意である。例えば、それぞれ３つの操作キーの情報を解除キーテーブル１４Ｔに登録してもよい。
【００５０】
また、上記の実施の形態では、キーロック状態を解除した後の動作として発呼動作について説明したが、キーロック解除後の動作は任意である。また、適用される携帯用電子機器は、携帯用端末１に限られず、任意である。
【００５１】
【発明の効果】
以上説明したように、本発明によれば、キーロック状態から所定の動作指示までの操作負担を適切に軽減することができる。
【図面の簡単な説明】
【図１】本発明の実施の形態に係る携帯用端末の構成の一例を示すブロック図である。
【図２】本発明の実施の形態に係る携帯用端末の外観の一例を示す外観図である。
【図３】メモリに記憶される解除キーテーブルの一例を示す模式図である。
【図４】本発明の実施の形態に係るキーロック解除処理ルーチンを説明するためのフローチャートである。
【図５】（ａ），（ｂ）共に、キーロックが解除され、所定の電話番号先に発呼されるまでの様子を説明するための模式図である。
【図６】従来の携帯用電子機器におけるキーロック設定・解除処理ルーチンを説明するためのフローチャートである。
【図７】（ａ），（ｂ）共に、キーロックが解除され、所定の電話番号先に発呼されるまでの様子を説明するための模式図である。
【符号の説明】
１    携帯用端末
１１  アンテナ
１２  無線部
１３  操作部
１４  メモリ
１５  表示部
１６  制御部
１７  ベースバンド
１８  マイク
１９  スピーカ
【図１】
0004266280.tif 000002
【図２】
0004266280.tif 000003
【図３】
0004266280.tif 000004
【図４】
0004266280.tif 000005
【図５】
0004266280.tif 000006
【図６】
0004266280.tif 000007
【図７】
0004266280.tif 000008